(57)【要約】【課題】  構造簡素で、運搬性が良いトイレユニットからなる仮設トイレを提供すること。【解決手段】  床パネル１０と仕切りパネル２０と壁パネル３０と屋根パネル４０の組合せ体からなり、床パネル１０に便槽５０及び便器６０を備えたトイレユニットＵを有して構成される仮設トイレ１００であって、床パネル１０の上に、両側の仕切りパネル２０、壁パネル３０及び屋根パネル４０によって区画されるトイレ空間Ｒが形成され、両側の仕切りパネル２０の前縁部の間に該トイレ空間Ｒへの入出口Ｅが開放されてなるもの。【選択図】  図１
0003210880.tif 000002
【実用新案登録請求の範囲】
【請求項１】
床パネルと仕切りパネルと壁パネルと屋根パネルの組合せ体からなり、床パネルに便槽及び便器を備えたトイレユニットを有して構成される仮設トイレであって、
トイレユニットは、
仕切りパネルが床パネルの両側縁部に着脱可能に立設され、
壁パネルが床パネルの後縁部に着脱可能に立設されるとともに、仕切りパネルの後縁部に着脱可能に支持され、
屋根パネルが壁パネル及び仕切りパネルの上部に着脱可能に支持され、
床パネルの上に、両側の仕切りパネル、壁パネル及び屋根パネルによって区画されるトイレ空間が形成され、両側の仕切りパネルの前縁部の間に該トイレ空間への入出口が開放されてなる仮設トイレ。
【請求項２】
前記床パネルが扇面状をなす請求項１に記載の仮設トイレ。
【請求項３】
前記仕切りパネルの高さが壁パネルの高さより低く設定されてなる請求項１又は２に記載の仮設トイレ。
【請求項４】
前記仕切りパネルの前縁部には屋根パネルを支持する屋根支柱が設けられる請求項１乃至３のいずれかに記載の仮設トイレ。
【請求項５】
前記床パネルの後縁部の側の一部の床表面上に便槽が着脱可能に取付けられ、該便槽には便器が着脱可能に取付けられる請求項１乃至４のいずれかに記載の仮設トイレ。
【請求項６】
前記床パネルが小便器を備えるとともに、床表面には小便器使用時の足決め位置を示す足形表示部が設けられる請求項１乃至５のいずれかに記載の仮設トイレ。
【請求項７】
前記床パネルが貯水槽を有し、該貯水槽に給排水するための給排水手段を備える請求項１乃至６のいずれかに記載の仮設トイレ。
【請求項８】
複数個の前記トイレユニットが連設され、相隣るトイレユニットの境界に位置する仕切りパネルが共通化されてなる請求項１乃至６のいずれかに記載の仮設トイレ。
【請求項９】
前記複数個の各トイレユニットの床パネル、壁パネル及び屋根パネルのそれぞれが平面視で互いにＣ字状をなすように連設された１組の連設体を有し、
１組の連設体のＣ字の両端に位置する２つのトイレユニットにおける床パネルの相対する側縁部に挟まれる部位がトイレ入出路とされ、
全トイレユニットにおける床パネルの前縁部に囲まれる部位が、トイレ入出路に連続し、各トイレユニットのトイレ空間に連絡し得るトイレ連絡路とされる請求項８に記載の仮設トイレ。
【請求項１０】
前記複数個の各トイレユニットの床パネル、壁パネル及び屋根パネルのそれぞれが平面視で互いにＣ字状をなすように連設された第１と第２の２組の連設体を有し、
第１と第２の各連設体の各Ｃ字の一端に位置する各トイレユニットにおける床パネルの相対する側縁部に挟まれる部位がトイレ進入路とされ、
第１と第２の各連設体の各Ｃ字の他端に位置する各トイレユニットにおける床パネルの相対する側縁部に挟まれる部位がトイレ退出路とされ、
第１と第２の各連設体の各トイレユニットにおける床パネルの前縁部に挟まれる部位が、トイレ進入路とトイレ退出路のそれぞれに連続し、各トイレユニットのトイレ空間に連絡し得るトイレ連絡路とされる請求項８に記載の仮設トイレ。
【請求項１１】
前記複数個のトイレユニットの各便槽を互いに連通する連通管を有してなる請求項８乃至１０のいずれかに記載の仮設トイレ。
【考案の詳細な説明】
【技術分野】
【０００１】
本考案は、イベント会場、工事現場、被災地等で使用されて好適な仮設トイレに関する。
【背景技術】
【０００２】
従来の仮設トイレとして、特許文献１、２に記載のものがある。
【０００３】
特許文献１に記載の仮設トイレは、ドアを有する前面壁、後面壁、左右の側面壁及び天井壁からなるボックスを有し、ボックスの下部に便槽を設け、ボックスの内部に便器を備えることにより、ボックス型トイレを構成している。
【０００４】
また、特許文献１に記載の仮設トイレでは、複数個のボックス型トイレを横方向に並べ、相隣るトイレ同士を連棟固定部によって連設するものとしている。
【０００５】
特許文献２に記載の仮設トイレは、前扉を有する前板、後板、左右の側板及び天板からなるボックス型トイレを構成し、ボックス型トイレの下部に便槽を設け、ボックス型トイレの内部に便器を備えている。
【０００６】
また、特許文献２に記載の仮設トイレでは、複数個のボックス型トイレを横方向に並べ、それら全てのボックス型トイレをルーバーパネルによって囲うものとしている。
【先行技術文献】
【特許文献】
【０００７】
【特許文献１】特開2017-2545号公報
【特許文献２】特開2006-70457号公報
【考案の概要】
【考案が解決しようとする課題】
【０００８】
しかしながら、特許文献１、２に記載の仮設トイレには以下の問題点がある。
(1)仮設トイレがトイレ空間の前後左右に渡る全周を壁等によって囲んだボックス型をなすものであり、部品点数が多く、部品の取付組立か所も多く、構造複雑であって、現地施工性が悪い。
【０００９】
(2)上述(1)によって現地施工性が悪いため、工場組立てされた仮設トイレを現地に運搬する場合には、部品点数が多いことから大重量で大容積を専有するものになり、現地への運搬性も悪い。
【００１０】
(3)複数個のボックス型トイレを連設する場合には、各ボックス型トイレが横方向に一直線状をなす広い敷地範囲に並べられ、利用者は横方向に並んだ各ボックス型トイレ毎にそれらのドア等の前に整列待機する必要がある。従って、イベント会場等で、多数個のボックス型トイレを連設する場合には、横方向に長大なトイレ用敷地を確保する必要があるし、各ボックス型トイレに対する利用者の待機時間が互いに平均化されずに使い勝手も悪い。
【００１１】
本考案の課題は、構造簡素で、運搬性が良いトイレユニットからなる仮設トイレを提供することにある。
【００１２】
本発明の他の課題は、複数個のトイレユイットを連設して構成される仮設トイレにおいて、イベント会場等でのトイレ用敷地の確保を容易化し、利用者の使い勝手も向上することにある。
【課題を解決するための手段】
【００１３】
請求項１に係る考案は、床パネルと仕切りパネルと壁パネルと屋根パネルの組合せ体からなり、床パネルに便槽及び便器を備えたトイレユニットを有して構成される仮設トイレであって、トイレユニットは、仕切りパネルが床パネルの両側縁部に着脱可能に立設され、壁パネルが床パネルの後縁部に着脱可能に立設されるとともに、仕切りパネルの後縁部に着脱可能に支持され、屋根パネルが壁パネル及び仕切りパネルの上部に着脱可能に支持され、床パネルの上に、両側の仕切りパネル、壁パネル及び屋根パネルによって区画されるトイレ空間が形成され、両側の仕切りパネルの前縁部の間に該トイレ空間への入出口が開放されてなるようにしたものである。
【００１４】
請求項２に係る考案は、請求項１に係る考案において更に、前記床パネルが扇面状をなすようにしたものである。
【００１５】
請求項３に係る考案は、請求項１又は２に係る考案において更に、前記仕切りパネルの高さが壁パネルの高さより低く設定されてなる
ようにしたものである。
【００１６】
請求項４に係る考案は、請求項１乃至３のいずれかに係る考案において更に、前記仕切りパネルの前縁部には屋根パネルを支持する屋根支柱が設けられる
ようにしたものである。
【００１７】
請求項５に係る考案は、請求項１乃至４のいずれかに係る考案において更に、前記床パネルの後縁部の側の一部の床表面上に便槽が着脱可能に取付けられ、該便槽には便器が着脱可能に取付けられるようにしたものである。
【００１８】
請求項６に係る考案は、請求項１乃至５のいずれかに係る考案において更に、前記床パネルが小便器を備えるとともに、床表面には小便器使用時の足位置を示す足形表示部が設けられるようにしたものである。
【００１９】
請求項７に係る考案は、請求項１乃至６のいずれかに係る考案において更に、前記床パネルが貯水槽を有し、該貯水槽に給排水するための給排水手段を備えるようにしたものである。
【００２０】
請求項８に係る考案は、請求項１乃至６のいずれかに係る考案において更に、複数個の前記トイレユニットが連設され、相隣るトイレユニットの境界に位置する仕切りパネルが共通化されてなるようにしたものである。
【００２１】
請求項９に係る考案は、請求項８に係る考案において更に、前記複数個の各トイレユニットの床パネル、壁パネル及び屋根パネルのそれぞれが平面視で互いにＣ字状をなすように連設された１組の連設体を有し、１組の連設体のＣ字の両端に位置する２つのトイレユニットにおける床パネルの相対する側縁部に挟まれる部位がトイレ入出路とされ、全トイレユニットにおける床パネルの前縁部に囲まれる部位が、トイレ入出路に連続し、各トイレユニットのトイレ空間に連絡し得るトイレ連絡路とされるようにしたものである。
【００２２】
請求項１０に係る考案は、請求項８に係る考案において更に、前記複数個の各トイレユニットの床パネル、壁パネル及び屋根パネルのそれぞれが平面視で互いにＣ字状をなすように連設された第１と第２の２組の連設体を有し、第１と第２の各連設体の各Ｃ字の一端に位置する各トイレユニットにおける床パネルの相対する側縁部に挟まれる部位がトイレ進入路とされ、第１と第２の各連設体の各Ｃ字の他端に位置する各トイレユニットにおける床パネルの相対する側縁部に挟まれる部位がトイレ退出路とされ、第１と第２の各連設体の各トイレユニットにおける床パネルの前縁部に挟まれる部位が、トイレ進入路とトイレ退出路のそれぞれに連続し、各トイレユニットのトイレ空間に連絡し得るトイレ連絡路とされるようにしたものである。
【００２３】
請求項１１に係る考案は、請求項１乃至１０のいずれかに係る考案において更に、前記複数個のトイレユニットの各便槽を互いに連通する連通管を有してなるようにしたものである。
【考案の効果】
【００２４】
（請求項１）
(a)仮設トイレがトイレ空間の周囲の概ね三面に壁パネル及び両側の仕切りパネルを立設し、両側の仕切りパネルの存在が壁パネルを床パネル上にて安定的に立設可能にする。また、左右の仕切りパネルの前縁部の間をトイレ空間への入出口として開放した。従って、一定の製造強度を確保しながら、部品点数が少なく、部品の取付か所も少なくなって構造簡素になる。よって、工場組立てすることなく、現地組立てすることも容易になる。
【００２５】
(b)仮設トイレを現地組立てするために、各部品を現地に運搬する場合に、部品点数が少ないことから重量を小とし、専有容積も小とするものになり、現地への運搬性が良い。
【００２６】
(c)トイレ空間の周囲のうち、少なくとも、両側の仕切りパネルの前縁部の間をトイレ空間への入出口として開放したから、トイレ空間の自然換気性が良い。
【００２７】
（請求項２、９、１０）
(d)床パネルが扇面状をなす。従って、複数個のトイレユニットを互いに連設するとき、それらの扇面状床パネルの相隣る側縁部同士を当接させることにより、全ての床パネルが平面視で互いにＣ字状をなし、かつ各床パネルの後縁部に立設される各壁パネル、更には各屋根パネルの平面視で互いにＣ字状をなすように連設される。
【００２８】
これにより、多数個のトイレユニットがＣ字状をなすように連設された１組の連設体を有して構成される仮設トイレにおいて、各トイレユニットが横方向に一直線状に並べられるものに比して、イベント会場等でのトイレ用敷地の確保を容易化できる。また、利用者はＣ字状に並んだ全てのトイレユニットのＣ字の切り口となる部位に形成される１個のトイレ入出路の前に、自然と１列をなすように整列待機するものになり、全てのトイレユニットに対する利用者の待機時間が互いに平均化される。また、利用者は、トイレ入出路と各トイレユニットの入出口との間での移動を、トイレ連絡路において整然と行ない得るものになる。これにより、利用者の使い勝手も向上する。
【００２９】
多数個のトイレユニットがＣ字状をなすように連設された第１と第２の２組の連設体を有し、両連設体が互いに向かい合うように配置されて構成される仮設トイレでも、各トイレユニットが横方向に一直線状に並べられるものに比して、イベント会場等でのトイレ用敷地の確保を容易化できる。また、利用者は、第１と第２の連設体の各Ｃ字の一端となる部位に挟まれて形成される１個のトイレ進入路の前に、自然と１列をなすように整列待機するものになり、全てのトイレユニットに対する利用者の待機時間が互いに平均化される。また、用済後の利用者は、第１と第２の連設体の各Ｃ字の他端となる部位に挟まれて形成される１個のトイレ退出路から整然と退出される。また、利用者は、トイレ進入路又はトイレ退出路と各トイレユニットの入出口との間での移動を、トイレ連絡路において整然と行ない得るものになる。これにより、利用者の使い勝手も向上する。
【００３０】
（請求項３）
(e)仕切りパネルの高さが壁パネルの高さより低く設定される。仮設トイレにおいて、前述(b)の運搬性、前述(c)の換気性を一層向上できる。
【００３１】
（請求項４）
(f)仕切りパネルの前縁部には屋根パネルを支持する屋根支柱が設けられる。仕切りパネルの高さが壁パネルの高さより低く設定されたときにも、上述の屋根支柱の存在により、仕切りパネルの上部に屋根パネルを確実に支持できる。
【００３２】
（請求項５）
(g)床パネルの後縁部の側の一部の床表面上に便槽が着脱可能に取付けられ、該便槽には便器が着脱可能に取付けられる。従って、利用者が仮設トイレの周辺の地面から踏み込む床パネルの前縁部の側の残部の床表面が仮設トイレの周辺の地面に対してなす設置レベルは、該床パネルの厚み程度の高さ寸法となって、地面に対する段差が小さくなり、利用者のトイレ空間への踏み込み性が向上する。
【００３３】
（請求項６）
(h)床パネルが小便器を備えるとともに、床表面には小便器使用時の足位置を示す足形表示部が設けられる。利用者の小便器まわりへの小便の飛散を防止し、トイレ空間の衛生性を向上できる。
【００３４】
（請求項７）
(i)床パネルが貯水槽を有し、該貯水槽に給排水するための給排水手段を備える。貯水槽の貯水重量によって床パネルの重量を増し、仮設トイレの風力等に対する設置安定性を向上する。
【００３５】
（請求項８）
(j)複数個の前記トイレユニットが連設され、相隣るトイレユニットの境界に位置する仕切りパネルが共通化される。複数個のトイレユニットを連設した仮設トイレにおいて、仕切りパネルの無用な重複設置を省き、部品点数を削減し、前述(b)の運搬性を一層向上できる。
【００３６】
（請求項１１）
(k)複数個のトイレユニットの各便槽を互いに連通する連通管を有する。従って、利用者による各トイレユニットの利用度が互いに異なる場合にも、全トイレユイットの便槽が一連共通化され、便槽からの汲み取り作業性を向上できる。
【図面の簡単な説明】
【００３７】
【図１】図１は１個のトイレユニットによって構成された仮設トイレを示す正面図である。
【図２】図２は図１の側面図である。
【図３】図３は図１の平面図である。
【図４】図４は図１のトイレユニットの屋根パネルを取外した状態を示す平面図である。
【図５】図５は５個のトイレユニットを連設して構成された仮設トイレを示す正面図である。
【図６】図６は図５の側面図である。
【図７】図７は図５の平面図である。
【図８】図８は図５の各トイレユニットの屋根パネルを取外した状態を示す平面図である。
【図９】図９は床パネルを示し、（Ａ）は平面図、（Ｂ）は正面図である。
【図１０】図１０は図９のX-X線に沿う断面図である。
【図１１】図１１は図９のXI-XI線に沿う断面図である。
【図１２】図１２は仕切りパネルを示し、（Ａ）は正面図、（Ｂ）は側面図、（Ｃ）は平面図である。
【図１３】図１３は図１２のXIII-XIII線に沿う断面図である。
【図１４】図１４は図１２のXIV-XIV線に沿う断面図である。
【図１５】図１５は壁パネルを示し、（Ａ）は正面図、（Ｂ）は側面図、（Ｃ）は平面図である。
【図１６】図１６は図１５のXVI-XVI線に沿う断面図である。
【図１７】図１７は図１２のXVII-XVII線に沿う断面図である。
【図１８】図１８は図１５のXXVIII-XVIII線に沿う断面図である。
【図１９】図１９は屋根パネルを示し、（Ａ）は正面図、（Ｂ）は側面図、（Ｃ）は下面図である。
【図２０】図２０は図１９のXX-XX線に沿う断面図である。
【図２１】図２１は図１９のXXI-XXI線に沿う断面図である。
【図２２】図２２は図１９のXXII-XXII線に沿う断面図である。
【図２３】図２３は図１９のXXIII-XXIII線に沿う断面図である。
【図２４】図２４は図１９のXXIV-XXIV線に沿う断面図である。
【図２５】図２５は便槽を示し、（Ａ）は斜視図、（Ｂ）は正面図、（Ｃ）は平面図である。
【図２６】図２６は図２５のXXVI-XXVI線に沿う断面図である。
【図２７】図２７は図２５のXXVII-XXVII線に沿う断面図である。
【図２８】図２８は仮設トイレの組立手順を示す斜視図である。
【図２９】図２９は仮設トイレの組立手順を示す斜視図である。
【図３０】図３０は仮設トイレの組立手順を示す斜視図である。
【図３１】図３１は仮設トイレの組立手順を示す斜視図である。
【図３２】図３２は連設仮設トイレの設置例を示す模式平面図である。
【考案を実施するための形態】
【００３８】
図１乃至図４に示した単一仮設トイレ１００は、床パネル１０と仕切りパネル２０と壁パネル３０と屋根パネル４０の組合体からなり、床パネル１０に便槽５０及び便器６０を備えたトイレユニットＵを有して構成され、イベント会場、工事現場、被災地等で使用される。本実施形態のトイレユニットＵは、男性の小便用とされ、便器６０として小便器を備える。
【００３９】
図５乃至図８に示した連設仮設トイレ２００は、複数個（本実施形態では５個）の前記トイレユニットＵが連設されて構成されたものである。仮設トイレ２００については後述する。
【００４０】
トイレユニットＵは、床パネル１０の上に、両側の仕切りパネル２０、壁パネル３０及び屋根パネル４０によって区画されるトイレ空間Ｒを形成する。
【００４１】
トイレユニットＵの各構成部品（床パネル１０、仕切りパネル２０、壁パネル３０、屋根パネル４０、便槽５０）は、中空ブロー成形体等のプラスチック成形品から構成される。以下、それらの各構成部品について説明する（図９乃至図２７）。尚、各構成部品を示す断面図において、各構成部品の断面の厚みの薄肉部は、当該断面の厚みの表示を斜線表示することなく、１本の実線によって表示することとした。
【００４２】
床パネル１０は、図９に示す如く、平面視で扇面状をなす薄肉の中空平板状体からなり、小径円弧状の前縁部１１Ａ、大径円弧状の後縁部１１Ｂ、直線状の両側縁部１１Ｃ、１１Ｄを有する。床パネル１０は、床表面に多数の凹凸部１２を備え、強度及び剛性の向上を図っている。床パネル１０は、トイレユニットＵが前述した小便用の便器６０を備えることに対応し、床表面には小便器使用時の使用者の左右の各足決め位置を表す足形表示部１３が設けられている。
【００４３】
床パネル１０は、プラスチック成形品の中空部を利用した、トイレユニットＵの設置重量を確保するための貯水槽１４を有し、貯水槽１４に給排水のための給排水手段を備える。給排水手段は、床パネル１０の床表面において便槽５０に覆われる位置に設けられる給水口１５及びそのキャップ１５Ａと、床パネル１０の後縁側外周面において壁パネル３０の下縁部３１Ａに形成してある切欠部３７を介して外方に臨む排水口１６及びそのキャップ１６Ａからなる（図１０）。
【００４４】
床パネル１０は、一方の側縁部１１Ｃに側方へ突出する凸部１７Ａを備えるとともに、他方の側縁部１１Ｄに側方に臨む凹部１７Ｂを備え、連設仮設トイレ２００において相隣る床パネル１０同士を連設するときにそれらの凸部１７Ａを凹部１７Ｂに重ね合わせることとしている（図１１）。
【００４５】
仕切りパネル２０は、図１２に示す如く、正面視で概ね矩形状をなす薄肉の中空平板状体からなり、直線状の前縁部２１Ａ、直線状の後縁部２１Ｂ、直線状の下縁部２１Ｃ、前縁部２１Ａと後縁部２１Ｂをつなぐ湾曲状の上縁部２１Ｄを有する。仕切りパネル２０は、両側表面に複数条をなして上下方向に延びるＶ溝部２２を備え、強度及び剛性の向上を図っている。
【００４６】
仕切りパネル２０は、床パネル１０の両側縁部１１Ｃ、１１Ｄのそれぞれに、その下縁部２１Ｃに設けた突片部２３をボルト２４Ａ及びナット２４Ｂで着脱可能に固定して立設される（図１３）。各仕切りパネル２０は床パネル１０の両側縁部１１Ｃ、１１Ｄの全長の一部（全長の全部でも可）に延在される。両側の仕切りパネル２０の前縁部２１Ａの間をトイレ空間Ｕへの入出口Ｅとする。突片部２３はボルト２４Ａが挿通される孔を備える。図１３は、仕切りパネル２０の突片部２３が相隣る床パネル１０の側縁部１１Ｃ、１１Ｄに挟まれて固定された状態を示す。
【００４７】
仕切りパネル２０は、その後縁部２１Ｂの上端側２位置に形成してある壁取付部２１Ｋ、２１Ｌのそれぞれに、壁パネル３０の両側縁部３１Ｃ、３１Ｄのそれぞれがボルト２５Ａによって着脱可能に固定されるナットプレート２５Ｂを備える。各ナットプレート２５Ｂは、仕切りパネル２０の後縁部２１Ｂに皿ねじ等で固定されている。
【００４８】
仕切りパネル２０は、連設仮設トイレ２００において採用される後述の連通管５５が挿通される孔２６を後部側の下部側面に備える（図１４）。
【００４９】
尚、本実施形態では、仕切りパネル２０の高さが壁パネル３０の高さより低く設定されている。
【００５０】
壁パネル３０は、図１５に示す如く、正面視で矩形状をなし、平面視で床パネル１０の円弧状後縁部１１Ｂに沿う薄肉の中空円弧状板状体からなり、円弧状の下縁部３１Ａ、円弧状の上縁部３１Ｂ、直線状の両側縁部３１Ｃ、３１Ｄを有する。壁パネル３０は、湾曲状の内周表面に複数条の上下方向に延びるＶ溝部３２を備えるとともに、湾曲条の内周表面に複数条の斜め横方向に延びる突条部３３を備え、強度及び剛性の向上を図っている。
【００５１】
壁パネル３０は、床パネル１０の円弧状後縁部１１Ｂの外側面に、その円弧状下縁部３１Ａが添設され、当該下縁部３１Ａに沿う複数位置に形成してある壁取付部３１Ｋがボルト３４Ａによって着脱可能に固定される。ボルト３４Ａは床パネル１０の後縁部１１Ｂに備えたナットプレート３４Ｂに螺着され、ナットプレート３４Ｂは床パネル１０の後縁部１１Ｂに皿ねじ等で固定されている（図１６）。
【００５２】
壁パネル３０は、前述の通り、仕切りパネル２０の後縁部２１Ｂの上端側２位置に形成してある壁取付部２１Ｋ、２１Ｌのそれぞれに備えたナットプレート２５Ｂに螺着されるボルト２５Ａによって、その両側縁部３１Ｃ、３１Ｄのそれぞれが着脱可能に固定される（図１７）。
【００５３】
壁パネル３０は、内周の周方向中央部における高さ方向中間部を便器取付面３５とし、その便器取付面３５に便器６０を着脱可能に固定可能にする（図１８）。
【００５４】
屋根パネル４０は、図１９に示す如く、平面視で全体扇面状をなし、床パネル１０の円弧状後縁部１１Ｂ及び円弧状板状体からなる壁パネル３０の円弧状外周面に沿う薄肉の中空円弧状縦壁部４０Ａと、縦壁部４０Ａの円弧状上端部から連続して立上がる薄肉の中空扇形状屋根部４０Ｂとからなる。扇形状屋根部４０Ｂの頂部の上面には、円弧状凸部４０Ｃが突設されている。屋根パネル４０は、円弧状の下縁部４１Ａ、直線状の両側縁部４１Ｂ、４１Ｃを有する。屋根パネル４０は、円錐状内周表面に母線に沿って延びる複数条のＶ溝部４２を備え、強度及び剛性の向上を図っている。
【００５５】
屋根パネル４０は、仕切りパネル２０の上部に着脱可能に固定される。このとき、本実施形態では、仕切りパネル２０の高さは壁パネル３０の高さより低く設定されており、該仕切りパネル２０の前縁部２１Ａに設けられる屋根支柱７０が屋根パネル４０を支持するものとしている。屋根支柱７０は、仕切りパネル２０の前縁部２１Ａに設けてある柱挿通孔２７に下端側を挿通され、上端部に備える支持板７１に屋根パネル４０の両側縁部４１Ｂ、４１Ｃの側傍に形成してある被支持部４１Ｊを載せた状態で、支持板７１に挿通されたボルト７２Ａを屋根パネル４０の当該被支持部４１Ｊに埋め込んであるナット７２Ｂに螺着することにより、屋根パネル４０を支持する（図２０）。図２０は、連設仮設トイレ２００において相接続される両屋根パネル４０、４０の各側縁部４１Ｂ、４１Ｃが屋根支柱７０のＴ字状支持板７１の両端部に支持された状態を示している。
【００５６】
屋根パネル４０は、一方の側縁部４１Ｂに下方へ臨む凹条部４３Ａを備えるとともに、他方の側縁部４１Ｃに上方へ突出する凸条部４３Ｂを備える。連設仮設トイレ２００において相隣る屋根パネル４０同士を接続するときに、一方の屋根パネル４０の凹条部４３Ａを他方の屋根パネル４０の凸条部４３Ｂに重ね合せる。相隣る屋根パネル４０、４０は、相接する側縁部４１Ｂ、４１Ｃに直交する接続板４４が、それらの側縁部４１Ｂ、４１Ｃに沿う上下２位置に形成してある取付部４１Ｋ、４１Ｌに添設され、該接続板４４の一方の孔に挿通したボルト４５Ａが一方の屋根パネル４０の取付部４１Ｋに埋込んであるナット４５Ｂに螺着され、接続板４４の他方の孔に挿通したボルト４５Ａが他方の屋根パネル４０の取付部４１Ｌに埋込んであるナット４５Ｂに螺着され、相互に接続される（図２１）。
【００５７】
屋根パネル４０は、壁パネル３０の上部としての円弧状上縁部３１Ｂの外側面に、その下縁部４１Ａが添設され、当該下縁部４１Ａに沿う複数位置に形成されている取付部４１Ｍがボルト４６Ａによって着脱可能に固定される。ボルト４６Ａは当該取付部４１Ｍに挿通されて壁パネル３０の上縁部３１Ｂに沿う複数位置に形成してある取付部３１Ｌに備えたナットプレート４６Ｂに螺着される（図２２、図２３）。屋根パネル４０の下縁部４１Ａに挿通されて壁パネル３０の上縁部３１Ｂに備えたナットプレート４６Ｂに螺着され、ナットプレート４６Ｂは壁パネル３０の上縁部３１Ｂに皿ねじ等で固定されている（図２２、図２３）。
【００５８】
尚、トイレユニットＵにあっては、屋根パネル４０を壁パネル３０に固定するボルト４６Ａを、図２４に示す如くのアイボルト４７と交換し、ウエイトに連結された不図示のワイヤをアイボルト４７に結束することにより、仮設トイレ１００、２００を風力等に対して安定的に設置できる。
【００５９】
便槽５０は、図２５に示す如く、平面視でＣ字状の一部をなす中空タンクからなり、円弧面状の前面部５１Ａ、円弧面状の後面部５１Ｂ、平面状の両側面部５１Ｃ、５１Ｄ、平面状の下面部５１Ｅ、平面状の上面部５１Ｆを備える。
【００６０】
便槽５０は、図２６に示す如く、床パネル１０に立設された両側の仕切りパネル２０、２０及び壁パネル３０が囲む内方つぼまり状凹部Ｋに落とし込まれるように嵌合される。便槽５０は、後面部５１Ｂを壁パネル３０の円弧状内周面に当接し、両側面部５１Ｃ、５１Ｄを両側の仕切りパネル２０、２０に当接して床パネル１０の上で水平方向に自由に動くことなく、かつ自重によって上下方向に自由に動くことなく配置され、床パネル１０の上に安定的に取付けられる。
【００６１】
便槽５０は、上面部５１Ｆに便器接続口５２を開口し、この接続口５２に便器６０の排出口を挿入して接続可能にする。このようにして、床パネル１０の上に便槽５０が着脱可能に取付けられ、該便槽５０には便器６０が着脱可能に取付けられる。
【００６２】
便槽５０は、正面視の中央部を挟む両側２位置において、前面部５１Ａから下面部５１Ｅに渡って凹設された、利用者の足先挿入凹部５３を備える。
【００６３】
便槽５０は、図２７に示す如く、側面部５１Ｃ、５１Ｄに連通口５４を開口している。連設仮設トイレ２００において、複数個のトイレユニットＵの各便槽５０は、相隣る便槽５０の連通口５４に接続される連通管５５を介して互いに連通可能にされる。連通管５５は、前述した通り、相隣るトイレユニットＵの境界に位置する仕切りパネル２０に設けた孔２６に挿通される。
【００６４】
しかるに、トイレユニット１０にあっては、床パネル１０の後縁部１１Ｂと壁パネル３０の下縁部３１Ａ、上縁部３１Ｂと屋根パネル４０の下縁部４１Ａの各円弧状長さを実質的に同じにし、トイレユニットＵとして組立てられた床パネル１０及び屋根パネル４０の平面視で、扇面状をなす屋根パネル４０の両側縁部４１Ｂ、４１Ｃにおける下縁部４１Ａ寄り部分が扇面状をなす床パネル１０の両側縁部１１Ｃ、１１Ｄの上に重なるように投影されるものとしている。
【００６５】
従って、５個のトイレユニットＵを連設してなる連設仮設トイレ２００は、図５乃至図８、図３２（Ａ）に示す如く、各トイレユイットＵの床パネル１０、壁パネル３０、屋根パネル４０を互いに連設するとき、各トイレユニット１０の床パネル１０、壁パネル３０、屋根パネル４０が平面視で互いにＣ字状（Ｃ字円弧状）をなすように連設して構成された１組の連設体２００Ａを有するものになる。そして、１組の連設体２００ＡのＣ字の両端に位置する２つのトイレユニットＵ、Ｕにおける床パネル１０の相対する直線状側縁部１１Ｃ、１１Ｄに挟まれる部位（地面）は、扇面状のトイレ入出路２０１とされる。また、各トイレユイットＵにおける床パネル１０の円弧状前縁部１１Ａに囲まれる部位（地面）は、トイレ入出路２０１に連続し、各トイレユニットＵのトイレ空間Ｒに連絡し得る円形状のトイレ連絡路２０２とされる。
【００６６】
図３２（Ａ）において、実線矢印はトイレ入出路２０１に進入する利用者の導線を示し、破線矢印はトイレ入出路２０１から退出する利用者の導線を示す。
【００６７】
連設仮設トイレ２００において、相隣るトイレユニットＵ、Ｕの境界に位置する仕切りパネル２０は共通化され、重複配置されない。
【００６８】
以下、５個のトイレユニットＵが連設されてなる仮設トイレ２００の組立手順について説明する（図２３乃至図３１）。
【００６９】
(1)５個の床パネル１０を平面視で互いにＣ字状をなすように設置する（図２８（Ａ）、（Ｂ））。相隣るトイレユニット１０、１０の相接する側縁部１１Ｃ、１１Ｄの相互間で、一方の側縁部１１Ｃに備えた凸部１７Ａを他方の側縁部１１Ｄに備えた凹部１７Ｂに重ね合わせる（図１１）。
【００７０】
相隣る床パネル１０、１０は、相接する側縁部１１Ｃ、１１Ｄに直交するナットプレート（不図示）をそれらの境界部の下面に添設し、それらの上面から挿通されるボルトを当該ナットプレートに螺着することにて互いに着脱可能に固定される。
【００７１】
(2)相隣る床パネル１０、１０の間に仕切りパネル２０を取付ける（図２８（Ｃ））。相隣る床パネル１０、１０がそれらの境界部で相接する側縁部１１Ｃ、１１Ｄの間に形成する境界溝に、仕切りパネル２０の突片部２３を嵌め込み、この突片部２３がそれらの側縁部１１Ｃ、１１Ｄとともにボルト２４Ａ及びナット２４Ｂによって着脱可能に固定される（図１３）。
【００７２】
(3)各壁パネル３０の円弧状下縁部３１Ａを対応する各床パネル１０の円弧状後縁部１１Ｂの外側面に添設するとともに、壁パネル３０の両側縁部３１Ｃ、３１Ｄのそれぞれを仕切りパネル２０の後縁部２１Ｂに添設する（図２８（Ｄ）、（Ｅ））。
【００７３】
そして、壁パネル３０の下縁部３１Ａが床パネル１０の後縁部１１Ｂに備えたナットプレート３４Ｂにボルト３４Ａによって着脱可能に固定され（図１６）、壁パネル３０の両側縁部３１Ｃ、３１Ｄのそれぞれが仕切りパネル２０の後縁部２１Ｂに備えたナットプレート２５Ｂにボルト２５Ａによって着脱可能に固定される（図１７）。
【００７４】
(4)仮設トイレ２００においてトイレ入出路２０１の側傍に位置することとなる床パネル１０及び壁パネル３０に仕切りパネル２０を取付ける（図２８（Ａ））。
【００７５】
この仕切りパネル２０の突片部２３は、相隣る床パネル１０、１０の相接する側縁部１１Ｃ、１１Ｄの境界溝に嵌め込みできないから、それらの側縁部１１Ｃ又は側縁部１１Ｄにボルト２４Ａ及びナット２４Ｂによって着脱可能に固定される。
【００７６】
また、壁パネル３０の側縁部３１Ｃ又は側縁部３１Ｄを上述の仕切りパネル２０の後縁部２１Ｂに備えたナットプレート２５Ｂにボルト２５Ａによって着脱可能に固定される。
【００７７】
(5)各仕切りパネル２０の前縁部２１Ａに設けてある柱挿通孔２７に屋根支柱７０を差し込む（図２９（Ａ））。各屋根支柱７０の支持板７１の上に相隣る屋根パネル４０、４０を載せる（図２９（Ｂ））。このとき、各屋根パネル４０の円弧状下縁部４１Ａが各壁パネル３０の円弧状上縁部３１Ｂの外側面に添設される。そして、相隣る屋根パネル４０、４０の相接する側縁部４１Ｂ、４１Ｃが、一方の側縁部４１Ｂの凹条部４３Ａを他方の側縁部４１Ｃの凸条部４３Ｂに重ね合せながら、支持板７１の両端部に挿通された各ボルト７２Ａをそれらの側縁部４１Ｂ、４１Ｃに埋め込んであるナット７２Ｂに螺着する。これにより、相隣る屋根パネル４０、４０が屋根支柱７０の支持板７１に着脱可能に固定される（図２０）。
【００７８】
更に、相隣る屋根パネル４０、４０は、それらの境界で相接する側縁部４１Ｂ、４１Ｃに直交する接続板４４をそれらの下面に添設し、それらに下方から挿通されるボルト４５Ａをそれらの屋根パネル４０に埋め込んであるナット４５Ｂに螺着することにより互いに着脱可能に固定される（図２１）。
【００７９】
(6)各屋根パネル４０の下縁部４１Ａが、壁パネル３０の上縁部３１Ｂに添設された状態で、屋根パネル４０の下縁部４１Ａに挿通されたボルト４６Ａによって該屋根パネル３０の上縁部３１Ｂに備えたナットプレート４６Ｂに着脱可能に螺着される（図２２、図２３）、（図２９（Ｃ））。
【００８０】
(7)各床パネル１０の排水口１６にキャップ１６Ａを被着して締め付ける（図３０（Ａ）、（Ｂ））。そして、各床パネル１０の給水口１５から貯水槽１４に水を入れ、給水を完了した給水口１５にキャップ１５Ａを被着して締め付ける（図３０（Ｃ）、（Ｄ））。
【００８１】
(8)各便槽５０を傾けながら各床パネル１０の両側縁部１１Ｃ、１１Ｄに立設されている仕切りパネル２０、２０の間に入れ、床パネル１０まで落とし込み、各トイレユニットＵの内方つぼまり状凹部Ｋに嵌合させる（図３１（Ａ））。
【００８２】
(9)各便器６０が蝶ボルト３６によって各壁パネル３０の前記取付面３５に着脱可能に固定する（図３１（Ｂ））。
【００８３】
(10)各屋根パネル４０の扇形状屋根部４０Ｂの頂部の円弧状凸部４０Ｃの集合部に、ルーフキャップ４７が被着される。ルーフキャップ４７は、各屋根パネル４０の扇形状屋根部４０Ｂの頂部が互いに形成する屋根中央開口部に上から差込まれ、その差込端に固定リング４８が螺着されることによって、各屋根パネル４０をそれらの扇形状屋根部４０Ｂの頂部にて互いに一体固定化する（図３１（Ｃ））。
【００８４】
図３２（Ｂ）は各３個のトイレユニットＵの床パネル１０、壁パネル３０、屋根パネル４０をそれぞれ連設して構成された第１と第２の２組の連設体３００Ａ、３００Ｂを有し、両連設体３００Ａ、３００Ｂが一定の間隔を介して配置された連設仮設トイレ３００を示すものである。連設仮設トイレ３００は、第１と第２の各連設体３００Ａ、３００Ｂの各Ｃ字の一端に位置する各トイレユニットＵにおける床パネル１０の相対する直線状側縁部１１Ｃ、１１Ｄに挟まれる部位（地面）が直線状のトイレ進入路３０１とされる。また、第１と第２の各連設体３００Ａ、３００Ｂの各Ｃ字の他端に位置する各トイレユニットＵにおける床パネル１０の相対する直線状側縁部１１Ｃ、１１Ｄに挟まれる部位（地面）が直線状のトイレ退出路３０３とされる。また、第１と第２の各連設体３００Ａ、３００Ｂの各トイレユニットＵにおける床パネル１０の円弧状の前縁部１１Ａに挟まれる部位（地面）が、トイレ進入路３０１とトイレ退出路３０３のそれぞれに連続し、各トイレユニットＵのトイレ空間Ｒに連絡し得る円形状のトイレ連絡路３０２とされる。
【００８５】
図３２(Ｂ)において、実線矢印はトイレ入出路３０１に進入する利用者の導線を示し、破線矢印はトイレ入出路３０３から退出する利用者の導線を示す。
【００８６】
連設仮設トイレ３００において、相隣るトイレユニットＵ、Ｕの境界に位置する仕切りパネル２０は共通化され、重複配置されない。
【００８７】
従って、本実施例によれば以下の作用効果を奏する。
(a)仮設トイレ１００、２００、３００がトイレ空間Ｕの周囲の概ね三面に壁パネル３０及び両側の仕切りパネル２０、２０を立設し、両側の仕切りパネル２０の存在が壁パネル３０を床パネル１０上にて安定的に立設可能にする。また、左右の仕切りパネル２０の前縁部２１Ａの間をトイレ空間Ｕへの入出口Ｅとして開放した。従って、一定の製造強度を確保しながら、部品点数が少なく、部品の取付か所も少なくなって構造簡素になる。よって、工場組立てすることなく、現地組立てすることも容易になる。
【００８８】
(b)仮設トイレ１００、２００、３００を現地組立てするために、各部品を現地に運搬する場合に、部品点数が少ないことから重量を小とし、専有容積も小とするものになり、現地への運搬性が良い。
【００８９】
(c)トイレ空間Ｕの周囲のうち、少なくとも、両側の仕切りパネル２０の前縁部２１Ａの間をトイレ空間Ｕへの入出口Ｅとして開放したから、トイレ空間Ｕの自然換気性が良い。
【００９０】
(d)床パネル１０が扇面状をなす。従って、複数個のトイレユニットＵを互いに連設するとき、それらの扇面状床パネル１０の相隣る側縁部１１Ｃ、１１Ｄ同士を当接させることにより、全ての床パネル１０が平面視で互いにＣ字状をなし、かつ各床パネル１０の後縁部１１Ｂに立設される各壁パネル３０、更には各屋根パネル４０の平面視で互いにＣ字状をなすように連設される。
【００９１】
これにより、多数個のトイレユニットＵがＣ字状をなすように連設された１組の連設体２００Ａを有して構成される仮設トイレ２００において、各トイレユニットＵが横方向に一直線状に並べられるものに比して、イベント会場等でのトイレ用敷地の確保を容易化できる。また、利用者はＣ字状に並んだ全てのトイレユニットＵのＣ字の切り口となる部位に形成される１個のトイレ入出路２０１の前に、自然と１列をなすように整列待機するものになり、全てのトイレユニットＵに対する利用者の待機時間が互いに平均化される。また、利用者は、トイレ入出路２０１と各トイレユニットＵの入出口Ｅとの間での移動を、トイレ連絡路２０２において整然と行ない得るものになる。これにより、利用者の使い勝手も向上する。
【００９２】
また、多数個のトイレユニットＵがＣ字状をなすように連設された第１と第２の２組の連設体３００Ａ、３００Ｂを有し、両連設体３００Ａ、３００Ｂが互いに向かい合うように配置されて構成される仮設トイレ３００でも、各トイレユニットＵが横方向に一直線状に並べられるものに比して、イベント会場等でのトイレ用敷地の確保を容易化できる。また、利用者は、第１と第２の連設体３００Ａ、３００Ｂの各Ｃ字の一端となる部位に挟まれて形成される１個のトイレ進入路３０１の前に、自然と１列をなすように整列待機するものになり、全てのトイレユニットＵに対する利用者の待機時間が互いに平均化される。また、用済後の利用者は、第１と第２の連設体３００Ａ、３００Ｂの各Ｃ字の他端となる部位に挟まれて形成される１個のトイレ退出路３０３から整然と退出される。また、利用者は、トイレ進入路３０１又はトイレ退出路３０３と各トイレユニットＵの入出口との間での移動を、トイレ連絡路３０２において整然と行ない得るものになる。これにより、利用者の使い勝手も向上する。
【００９３】
(e)仕切りパネル２０の高さが壁パネル３０の高さより低く設定される。仮設トイレ１００、２００、３００において、前述(b)の運搬性、前述(c)の換気性を一層向上できる。
【００９４】
(f)仕切りパネル２０の前縁部２１Ａには屋根パネル４０を支持する屋根支柱７０が設けられる。仕切りパネル２０の高さが壁パネル３０の高さより低く設定されたときにも、上述の屋根支柱７０の存在により、仕切りパネル２０の上部に屋根パネル４０を確実に支持できる。
【００９５】
(g)床パネル１０の前縁部１１Ａから後縁部１１Ｂまでの前後方向の奥行寸法Ｄのうちで、後縁部１１Ｂの側の一部範囲Ｄ1の上に便槽５０が着脱可能に取付けられ、該便槽５０には便器６０が着脱可能に取付けられる。従って、トイレ利用者は仮設トイレ１００、２００、３００の周辺の地面から床パネル１０の前縁部１１Ａの側の残部範囲Ｄ2の床表面に踏み込むものになり、この残部範囲Ｄ2の床表面が仮設トイレ１００、２００、３００の周辺の地面に対してなす設置レベルは、該床パネル１０の厚みからなる高さ寸法となって、地面に対する段差Ｈ（図２）が小さくなり、利用者のトイレ空間Ｕへの踏み込み性が向上する。
【００９６】
(h)床パネル１０が小便器６０を備えるとともに、床表面には小便器６０使用時の足位置を示す足形表示部１３が設けられる。利用者の小便器６０まわりへの小便の飛散を防止し、トイレ空間Ｕの衛生性を向上できる。
【００９７】
(i)床パネル１０が貯水槽１４を有し、該貯水槽１４に給排水するための給排水手段（給水口１５及び排出口１６）を備える。貯水槽１４の貯水重量によって床パネル１０の重量を増し、仮設トイレ１００、２００、３００の風力等に対する設置安定性を向上する。
【００９８】
(j)複数個の前記トイレユニットＵが連設され、相隣るトイレユニットＵの境界に位置する仕切りパネル２０が共通化される。複数個のトイレユニットＵを連設した仮設トイレ２００、３００において、仕切りパネル２０の無用な重複設置を省き、部品点数を削減し、前述(b)の運搬性を一層向上できる。
【００９９】
(k)複数個のトイレユニットＵの各便槽５０を互いに連通する連通管５５を有する。従って、利用者による各トイレユニットＵの利用度が互いに異なる場合にも、全トイレユイットの便槽５０が一連共通化され、便槽５０からの汲み取り作業性を向上できる。
【０１００】
以上、本考案の実施例を図面により詳述したが、本考案の具体的な構成はこの実施例に限られるものではなく、本考案の要旨を逸脱しない範囲の設計の変更等があっても本考案に含まれる。例えば、本考案の仮設トイレは、床パネルが便槽を一体成形して備えるものでも良い。
【０１０１】
また、本考案の仮設トイレは、仕切りパネルの前縁部に、トイレ空間を開閉する正面扉を備えるものでも良い。
【０１０２】
また、本考案の仮設トイレは、便器が大便器からなるものでも良い。
【０１０３】
また、本考案の仮設トイレは、複数個のトイレユニットを連設するに際し、それらの各床パネル、壁パネル及び屋根パネルが平面視で互いに一直線状をなし、又は折線状をなし、或いは曲線状をなすように連設されてなるものでも良い。
【産業上の利用可能性】
【０１０４】
本考案によれば、構造簡素で、運搬性が良いトイレユニットからなる仮設トイレを提供することができる。
【０１０５】
また、本考案によれば、複数個のトイレユイットを連設して構成される仮設トイレにおいて、イベント会場等でのトイレ用敷地の確保を容易化し、利用者の使い勝手も向上することができる。
【符号の説明】
【０１０６】
１０  床パネル
１３  足形表示部
１４  貯水槽
１５  給水口
１６  排水口
２０  仕切りパネル
３０  壁パネル
４０  屋根パネル
５０  便槽
５５  連通管
６０  便器
７０  屋根支柱
１００  単一仮設トイレ
２００  連設仮設トイレ
２０１  トイレ入出路
２０２  トイレ連絡路
３００  連設仮設トイレ
３０１  トイレ進入路
３０２  トイレ連絡路
３０３  トイレ退出路
Ｕ  トイレユニット
Ｒ  トイレ空間
Ｅ  入出口
【図１】
0003210880.tif 000003
【図２】
0003210880.tif 000004
【図３】
0003210880.tif 000005
【図４】
0003210880.tif 000006
【図５】
0003210880.tif 000007
【図６】
0003210880.tif 000008
【図７】
0003210880.tif 000009
【図８】
0003210880.tif 000010
【図９】
0003210880.tif 000011
【図１０】
0003210880.tif 000012
【図１１】
0003210880.tif 000013
【図１２】
0003210880.tif 000014
【図１３】
0003210880.tif 000015
【図１４】
0003210880.tif 000016
【図１５】
0003210880.tif 000017
【図１６】
0003210880.tif 000018
【図１７】
0003210880.tif 000019
【図１８】
0003210880.tif 000020
【図１９】
0003210880.tif 000021
【図２０】
0003210880.tif 000022
【図２１】
0003210880.tif 000023
【図２２】
0003210880.tif 000024
【図２３】
0003210880.tif 000025
【図２４】
0003210880.tif 000026
【図２５】
0003210880.tif 000027
【図２６】
0003210880.tif 000028
【図２７】
0003210880.tif 000029
【図２８】
0003210880.tif 000030
【図２９】
0003210880.tif 000031
【図３０】
0003210880.tif 000032
【図３１】
0003210880.tif 000033
【図３２】
0003210880.tif 000034